(57)【要約】【課題】異なる遊技機に使用する遊技媒体間の相互交換を迅速且つ容易に行う。【解決手段】上面に、第１及び第２の遊技媒体のそれぞれに対応した第１及び第２投入口１１ａ、１１ｂを設け、第１及び第２投入口よりも下方に、第１及び第２投入通路１３ａ、１３ｂを介して第１及び第２貯留部１２ａ、１２ｂを設ける。第１及び第２投入通路には第１及び第２投入センサ２１ａ、２１ｂを設け、投入された遊技媒体の数をカウントする。制御部３３がその計数値を払出値に変換し、変換した数の他方の遊技媒体を、第１及び第２貯留部よりも下方に設けられた第１又は第２払出器１９ａ、１９ｂにより第１又は第２払出口２０ａ、２０ｂから払い出す。なお、誤って投入された遊技媒体を正しい貯留部に導くためのバイパス通路１５ａ、１５ｂを設けておくこともできる。【選択図】図１
0003123798.tif 000002
【実用新案登録請求の範囲】
【請求項１】
a)上面に設けられた、第１及び第２の遊技媒体のそれぞれに対応した第１及び第２投入口と、
b)第１及び第２投入口よりも下方に、第１及び第２投入通路を介して設けられた第１及び第２貯留部と、
c)第１及び第２投入通路に設けられた第１及び第２投入計数器と、
d)第１及び第２投入計数器による計数値を払出値に変換する変換手段と、
e)第１及び第２貯留部よりも下方に設けられた第１及び第２払出器と、
f)変換された払出値に対応した数の遊技媒体を、第１又は第２払出器を用いて第１又は第２貯留部から払い出す制御部と、
を備えることを特徴とする遊技媒体交換装置。
【請求項２】
第１投入口と第２貯留部の間、及び第２投入口と第１貯留部の間に、誤って投入された遊技媒体を正しい貯留部に送るためのバイパス通路が設けられている請求項１に記載の遊技媒体交換装置。
【請求項３】
各投入口にシャッターが設けられ、所定の操作の後にはじめて該シャッターが開き、遊技媒体が落下してゆくようになっている請求項１又は２に記載の遊技媒体交換装置。
【請求項４】
交換される遊技媒体が、径の異なるコインである請求項１〜３のいずれかに記載の遊技媒体交換装置。
【請求項５】
計数値と払出値が同じである請求項１〜４のいずれかに記載の遊技媒体交換装置。
【考案の詳細な説明】
【技術分野】
【０００１】
本考案は、異なる遊技媒体同士を交換する遊技媒体交換装置に関する。
【背景技術】
【０００２】
多くの遊技場においては、複数の異なる遊技機が配置されている。パチスロ等の遊技機はコインを投入することにより遊技が可能となるが、このコインは現在統一されておらず、遊技機メーカーや遊技機ごとに異なる場合がある。一つの遊技場において遊技者が或る遊技機から別の遊技機に移動しようとすると、両遊技機の使用コインが異なる場合、それらのコインを交換しなければならない。
【０００３】
従来、このようなコインの交換は、遊技場のフロントに赴いてそこでスタッフに交換して貰うことにより行われていた。
【考案の開示】
【考案が解決しようとする課題】
【０００４】
このようにフロントで交換するという方法は、人間がコインの数を、しかも交換前のコインと交換後のコインの少なくとも2回数えなければならないため、時間がかかるとともに、計数ミス（交換ミス）が生じやすい。これは、遊技者側にとって面倒であるとともに、遊技場側においてもスタッフの人件費の点で問題がある。
【０００５】
そこで本考案は、異なる遊技媒体を迅速かつ正確に交換することのできる遊技媒体交換装置を提供する。
【課題を解決するための手段】
【０００６】
本考案に係る遊技媒体交換装置は、
a)上面に設けられた、第１及び第２の遊技媒体のそれぞれに対応した第１及び第２投入口と、
b)第１及び第２投入口よりも下方に、第１及び第２投入通路を介して設けられた第１及び第２貯留部と、
c)第１及び第２投入通路に設けられた第１及び第２投入計数器と、
d)第１及び第２投入計数器による計数値を払出値に変換する変換手段と、
e)第１及び第２貯留部よりも下方に設けられた第１及び第２払出器と、
f)変換された払出値に対応した数の遊技媒体を、第１又は第２払出器を用いて第１又は第２貯留部から払い出す制御部と、
を備えることを特徴とする。
【０００７】
ここで、第１投入口と第２貯留部の間、及び第２投入口と第１貯留部の間に、誤って投入された遊技媒体を正しい貯留部に送るためのバイパス通路を設けておくことが望ましい。
【０００８】
また、各投入口にシャッターを設け、所定の操作の後にはじめて該シャッターが開き、遊技媒体が落下してゆくようにしておくことが望ましい。
【０００９】
交換される遊技媒体としては、パチンコの玉やパチスロのコイン等、何でもよいが、パチスロコインの場合には、径の異なるコインを交換するのが有用である。
【００１０】
遊技媒体の交換比率は任意に設定することができるが、多くの場合、計数値と払出値を同じとする。
【考案の効果】
【００１１】
本考案によれば、異なる遊技機に使用する遊技媒体間の相互の交換が迅速且つ容易となる。このため、遊技者は迅速に遊技機間を移動することができることとなり、遊技場は正確な遊技媒体交換サービスを顧客に提供し、しかも、スタッフの手間を大幅に削減して人件費を低減することができる。
【考案を実施するための最良の形態】
【００１２】
本考案の一実施例であるパチスロコイン交換機を図１〜図６により説明する。このコイン交換機は、25mm径のコインと30mm径のコインを相互に1:1で交換するための装置である。
【００１３】
図１は、実施例のコイン交換機の斜視図である。本コイン交換機１０は横長の直方体形状をなし、大きく左右に２分割されている。上面の左方には30mmコイン投入用のホッパーが、右方には25mmコイン投入用のホッパーが設けられ、各ホッパーの底には各径のコインよりもやや大きい穴であるコイン投入口１１ａ、１１ｂが設けられている。図２の断面図に示す通り、各ホッパーの下にはそれぞれのコインを貯留するためのコイン貯留部１２ａ、１２ｂが設けられ、各コイン投入口１１ａ、１１ｂから各コイン貯留部１２ａ、１２ｂには投入通路１３ａ、１３ｂが設けられている。また、図３に示すように、各コイン投入口１１ａ、１１ｂにはシャッター１４ａ、１４ｂが設けられている。
【００１４】
各コイン投入口１１ａ、１１ｂから各コイン貯留部１２ａ、１２ｂへ向かう投入通路１３ａ、１３ｂはシャッター１４ａ、１４ｂの直下で分岐し、それぞれ逆のコイン貯留部１２ｂ、１２ａへの分岐通路（バイパス通路）１５ａ、１５ｂが設けられている。その分岐点では、径の異なるコインが振り分けられるようになっている。すなわち、30mmコイン投入口１１ａからその直下の30mmコイン貯留部１２ａへの投入通路１３ａは30mmのコインが通過する大きさとなっており、その分岐点から分岐して25mmコイン貯留部１２ｂへ向かうバイパス通路１５ａは25mmのコインのみが通過できる大きさ(例えば27mm)となっている。一方、25mmコイン投入口１１ｂからその直下の25mmコイン貯留部１２ｂへの投入通路１３ｂは25mmのコインのみが通過できる大きさとなっており、その分岐点から分岐して30mmコイン貯留部１２ａへ向かうバイパス通路１５ｂは30mmコインが通過できる大きさとなっている。分岐点における30mmの大きさの投入通路１３ａ、１５ｂの傾斜を適度な値に設定することにより、25mm径と30mm径のコインが確実に分離されるようにすることができる。
【００１５】
各コイン貯留部１２ａ、１２ｂの底にはまた、それぞれのコインが通過できる穴である払出穴１６ａ、１６ｂが設けられており、各払出穴１６ａ、１６ｂからはそれぞれ払出通路１７ａ、１７ｂが下方に延びている。各払出穴１６ａ、１６ｂには払出シャッター１８ａ、１８ｂが設けられ、その直下には、コインを１個１個数えながら払出通路１７ａ、１７ｂに送出するための払出器１９ａ、１９ｂが設けられている。本実施例のコイン交換機では、図２，図４に示すように、スプロケット式の払出器を採用している。
【００１６】
図１に示されているように、本コイン交換機１０の正面下方には、交換されたコインが出てくる払出口２０ａ、２０ｂが設けられている。図２に示すように、各コイン貯留部１２ａ、１２ｂからの払出通路１７ａ、１７ｂは、この払出口２０ａ、２０ｂに開口している。
【００１７】
図１に戻り、本体正面のほぼ中央には、操作パネル３０が設けられている。この操作パネル３０には、図５に示すように、本コイン交換機１０を動作させるための操作ボタン３１や、動作状態を示すための表示部３２が設けられている。
【００１８】
図３に示すように、各コイン投入口１１ａ、１１ｂのシャッター１４ａ、１４ｂの直下には、その投入通路１３ａ、１３ｂを通過するコインを検出する投入センサ２１ａ、２１ｂが、そして、図４に示すように、払出器１９ａ、１９ｂの後の払出通路１７ａ、１７ｂにも、払い出される各コインを検出する払出センサ２２ａ、２２ｂが設けられている。各払出器１９ａ、１９ｂには、スプロケット２３ａ、２３ｂを回転させるためのモータ２４ａ、２４ｂ（図６）が設けられている。
【００１９】
図２に示すように、本体内部には本コイン交換機１０の動作全般を制御する制御部３３が設けられており、図６に示すように、上記各センサ２１ａ、２１ｂ、２２ａ、２２ｂ及びアクチュエータ（シャッター１４ａ、１４ｂ、１８ａ、１８ｂ及びモータ２４ａ、２４ｂ）、そして操作パネル３０の各操作ボタン３１、３４や表示部３２等は全てこの制御部３３に接続されている。
【００２０】
次に、本実施例のコイン交換機１０の使用方法を説明する。
まず、使用者は、交換したい元コインを対応するホッパーに置く。そして、操作パネル３０の指定ボタン３１を押す（図５）。これにより、該当するコイン投入口１１ａのシャッターが開き、ホッパーに投入されたコインが次々と投入口１１ａから投入通路１３ａを経てコイン貯留部１２ａに落下してゆく。その間、投入センサ２１ａがそのコインの個数をカウントし、その数値を操作パネル３０の表示部３２に表示する。所定時間（例えば、0.5秒）経過しても計数値が増加しなくなったとき、制御部３３はホッパー上のコインが無くなったと判断し、コイン投入口１１ａのシャッターを閉じるともに、操作パネル３０の払出ボタン３４を点滅させる。払出ボタン３４とは、図５に示す「OK」及び「NG」ボタンのことであり、これらを点滅させることにより、使用者の次の指示を待つ。
【００２１】
使用者が「OK」ボタンを押すと、制御部３３は、投入されたコインではない方のコイン貯留部１２ｂの払出シャッター１８ｂを開け、モータ２４ｂを駆動することによりスプロケット２３ｂを回転させて投入数と同じ数の、他方のコインを払い出す。この払出コインの数は払出センサ２２ｂによりチェックする。所定数のコインを払い出したところでモータ２４ｂを停止し、払出シャッター１８ｂを閉じる。この払い出しの間、表示部３２の計数表示が減少し、同数払い出したところで表示値はゼロとなる。
【００２２】
一方、払出ボタン３４が点滅した状態で使用者が「NG」ボタンを押すと、制御部３３は、投入されたコインと同じコインを、投入された数と同数、払い出す。
【００２３】
上記実施例のコイン交換機では、各ホッパーの投入口にシャッターが設けられ、使用者の指示を待ってはじめて払い出し動作が開始するようにしていたが、このようなシャッターを設けず、ホッパーに投入されたコインはそのままコイン貯留部の方に落下するようにしてもよい。この場合、通過路を通過するコインの計数値が所定時間（例えば0.5秒）変化しない状態が継続したときに、ホッパーにコインが無くなったと判断し、その後直ちに、同数の他方のコインを払い出すようにする。
【図面の簡単な説明】
【００２４】
【図１】本考案の一実施例であるコイン交換機の外観斜視図。
【図２】実施例のコイン交換機の断面図。
【図３】実施例のコイン交換機のコイン投入部の説明図。
【図４】実施例のコイン交換機のコイン払い出し部の説明図。
【図５】実施例のコイン交換機の表示部および操作部の説明図。
【図６】実施例のコイン交換機の制御系統の構成図。
【符号の説明】
【００２５】
１０…コイン交換機
１１ａ/１１ｂ…30mm／25mmコイン投入口
１２ａ/１２ｂ…30mm／25mmコイン貯留部
１３ａ/１３ｂ…30mm／25mm投入通路
１４ａ/１４ｂ…30mm／25mm投入シャッター
１５ａ/１５ｂ…30mm／25mmバイパス通路
１６ａ/１６ｂ…30mm／25mm払出穴
１７ａ/１７ｂ…30mm／25mm払出通路
１８ａ/１８ｂ…30mm／25mm払出シャッター
１９ａ/１９ｂ…30mm／25mm払出器
２０ａ/２０ｂ…30mm／25mm払出口
２１ａ/２１ｂ…30mm／25mm投入センサ
２２ａ/２２ｂ…30mm／25mm払出センサ
２３ａ/２３ｂ…30mm／25mmスプロケット
２４ａ/２４ｂ…30mm／25mmモータ
３０…操作パネル
３１…指定ボタン
３２…表示部
３３…制御部
３４…払出ボタン
【図１】
0003123798.tif 000003
【図２】
0003123798.tif 000004
【図３】
0003123798.tif 000005
【図４】
0003123798.tif 000006
【図５】
0003123798.tif 000007
【図６】
0003123798.tif 000008